(57)【要約】      （修正有）【課題】ＡＦセンサが撮影レンズ近傍に取り付けられた撮像装置に対して、ＡＦセンサの機能性及び外観を損なわず、且つコストのかからないレンズフードを提供する。【解決手段】レンズ鏡筒２の側面にＡＦセンサ３を具備する。レンズフード４はバヨネット式でレンズ鏡筒に着脱自在である。レンズフードにＡＦセンサの画角に対応する形状の開口部５を設ける。かかるフードにより、ＡＦセンサの光束のケラレを防止しＡＦセンサのパララックスを軽減すると共に、撮像装置１の外形の出っ張りを最小限に抑え外観を損なうことが無いという効果を生ずる。【選択図】  図１
2008015217.tif 000002
【特許請求の範囲】
【請求項１】
撮像レンズと、該撮像レンズを保持するレンズ鏡筒と、該レンズ鏡筒に被写体側の光を検知する光検知手段とを具備する撮像装置に着脱自在なレンズフードであって、当該撮影レンズの為の開口と、当該光検知手段の為の開口とを有することを特徴とするレンズフード。
【請求項２】
更に当該撮像装置に対する着脱機構を有し、当該着脱機構は逆付け防止構造を有することを特徴とする請求項１に記載のレンズフード。
【請求項３】
前記光検知手段は、オートフォーカスの測距手段であることを特徴とする請求項１又は２に記載のレンズフード。
【発明の詳細な説明】
【技術分野】
【０００１】
本発明は、レンズフードに関し、より具体的には撮像装置に着脱自在なレンズフードに関する。
【背景技術】
【０００２】
従来、撮像レンズの画角外の領域からの光の入射を防止する手段として、撮像レンズ先端の外周部に着脱可能なレンズフードがある。この種のレンズフードは通常、撮像レンズの画角を確保する為に、撮像レンズ先端から被写体側に向かって直径が広がるように形成されている。被写体側への発光もしくは被写体側からの受光を行う機能を有する付属光学装置、例えば、ストロボ、光学ファインダ若しくは合焦検出装置の受光素子又は発光素子などが撮像装置に設けられている場合、レンズフード装着時にこれらの付属光学装置の光軸をレンズフードが妨げることがないように、付属光学装置をレンズフードよりも外側に配置しなければならない。これは撮像装置の外観を大きく損ねるだけでなく、撮像装置の小型化を困難にする。
【０００３】
この種の対策として、特許文献１には、レンズフードの内側に開口径が変更可能な遮光部材を光軸に略直交する面上に取り付けることによって、レンズフード自体の径を小型化しつつ、内蔵ストロボの出力光の蹴られを防止する構造が記載されている。
【特許文献１】特開２００６−５８７８６号公報
【発明の開示】
【発明が解決しようとする課題】
【０００４】
特許文献１に記載の構成では、レンズフード自体の機構が複雑になって部品が増加し、コストが増大する。
【０００５】
また、投光式の合焦検出装置を使用する場合、パララックスを考慮すると、その発光素子又は受光素子は、可能な限り撮像レンズの光軸に近いことが望ましい。しかし、従来のレンズフードの使用を前提とすると、撮像レンズの光軸の近くに合焦検出装置の発光素子又は受光素子を配置することは難しい。
【０００６】
本発明はこのような問題に鑑み、付属光学装置を撮像レンズの光軸近くに配置可能なレンズフードを提示することを目的とする。
【課題を解決するための手段】
【０００７】
上記の問題を解決する為に、本発明に係るレンズフードは、撮像レンズと、該撮像レンズを保持するレンズ鏡筒と、該レンズ鏡筒に被写体側の光を検知する光検知手段とを具備する撮像装置に着脱自在なレンズフードであって、当該撮影レンズの為の開口と、当該光検知手段の為の開口とを有することを特徴とする。
【発明の効果】
【０００８】
本発明によれば、コストをかけずに光検知手段の機能性及び撮像装置の外観を損なわないようにするレンズフードを提供できる。
【発明を実施するための最良の形態】
【０００９】
以下、図面を参照して、本発明の実施例を詳細に説明する。
【００１０】
図１は、本発明の一実施例である撮像装置の概略構成図を示す。本実施例の撮像装置１は、レンズ鏡筒２の側面に、合焦検出のためのセンサ（以下、ＡＦセンサという。）３を具備する。レンズフード４は、バヨネット式でレンズ鏡筒２に着脱自在である。レンズフード４の、ＡＦセンサ３の光軸が通過すべき箇所には、開口部５を設けてある。
【００１１】
なお、ＡＦセンサ３は、その内部に取り付けられた２枚のセンサレンズ（図示せず）により２枚の画像を生成し、各画像の位相差から被写体までの距離を計測する。計測された距離に撮像レンズの合焦を調節することで、被写体にピントを合わせることができる。
【００１２】
先に説明したように、撮像レンズとＡＦセンサ３のパララックスを考慮すると、ＡＦセンサ３はできる限り撮像レンズの光軸に近い位置に配置するのが、合焦検出精度、ひいては合焦制御の精度を向上させる。本実施例では、ＡＦセンサ３をレンズ鏡筒２の側面に配置することで、パララックスを軽減する。レンズ鏡筒２による蹴られを回避するために、ＡＦセンサ３をできるだけ被写体側に配置している。更には、ＡＦセンサ３の入射光を妨害しないように、レンズフード４の対応箇所に開口部５を設けている。されている。
【００１３】
図２乃至図６を参照して、レンズフード４とレンズ鏡筒２との位置関係を説明する。図２は、レンズ鏡筒２にレンズフード４を取り付ける直前の斜視図を示す。レンズ鏡筒２はマウント１１を前面に具備し、レンズフード４の背面には、マウント１１と嵌合可能なマウント１２が装備されている。
【００１４】
図２のように、レンズフード４をレンズ鏡筒２に対して所定の角度だけ傾けてレンズ鏡筒２に押し付ける。この時のレンズ鏡筒２のマウント１１とレンズフード４のマウント１２の状態を図３に示す。レンズ鏡筒２のマウント１１は係合リブ６ａ，６ｂを具備する。レンズフード４のマウント１２は、係合リブ６ａ，６ｂに対応する係合リブ７ａ，７ｂ，８を具備し、レンズ鏡筒２のマウント１１は、係合リブ６ａ，６ｂを具備する。図４の破線で囲んだ箇所Ｐにおける係合リブ６ａ，７ａ，７ｂ，８の撮影光軸方向（レンズ鏡筒２の光軸）における位置関係を図４に示す。
【００１５】
図４に示すように、レンズ鏡筒２に対してある所定の角度でレンズフード４を押し込むことにより、係合リブ６ａが係合リブ８に突き当たり、レンズフード４の撮影光軸方向の位置を合わせることができる。その後、レンズフード４を撮影光軸に垂直な面内で図３のα方向に回転させることにより、レンズ鏡筒２とレンズフード４を係合させる。最終的には、図５に示すように、レンズフード４のストッパーリブ９がレンズ鏡筒２の係合リブ６ａに突き当たり、両者の位置が決まる。図５は、被写体の側から見た、係合リブ７ａ，７ｂとストッパーリブ９の位置関係を示す。図６は、図５に破線で示す部分Ｑで、上面から見た係合リブ６ａ，７ａ，８位置関係を示す。
【００１６】
最終的に、レンズフード４に設けられた固定ネジ１３を絞めることで、レンズフード４がレンズ鏡筒２に一定位置で固定される。
【００１７】
本実施例では、レンズフード４をレンズ鏡筒２に対して一定位置にしか取り付けられないように、具体的には、ＡＦセンサ３の前に開口部５が必ず位置するように、図３に示すように、レンズ鏡筒２の係合リブ６ａの角度βと、係合リブ６ｂの角度γは異なっている。この結果、図３に示す状態とは逆の関係でレンズフード４をレンズ鏡筒２に対面させると、係合リブ６ａがストッパーリブ９に突き当たり、レンズフード４をレンズ鏡筒２に係合させることができない。
【００１８】
また、レンズフード４には、撮像レンズの画角に対応した開口部の他に、ＡＦセンサ３の画角に対応した開口部５が設けられている。図７は、レンズフード４を取り付けた状態での撮像装置の正面図を示す。図８は、図７のＡ-Ａ線から見た断面図を示す。図９は、図８で破線で囲んだ部分の拡大図を示す。図８から分かるように、レンズフード４の開口部５は、ＡＦセンサ３の画角１０を蹴らない範囲で最小限の大きさになっている。符号１０は、ＡＦセンサ３の画角、又は入射光／出射光の範囲を示す。
【００１９】
上記のように、レンズフード４の内側に開口部５を設けたことにより、レンズフード４を装着しても、ＡＦセンサ３の入射光／出射光が妨害されることが無い。ＡＦセンサ３をレンズ鏡筒２の近くに配置でき、ＡＦセンサ３と撮像レンズとのパララックスの影響を少なくして合焦検出又は制御の性能を向上させることができる。また、ＡＦセンサ３を取り付けたことによる撮像装置の外形の出っ張りを最小限に抑えることができ、外観を損なうことも無くなる。レンズフード４がＡＦセンサ３の不要外光の遮光も兼ねる為、ＡＦセンサ３の性能をより向上させることもできる。レンズフード４に開口部を設けるだけでよいので、追加部品を必要とせず、コストもかからない。
【図面の簡単な説明】
【００２０】
【図１】本発明の一実施例における撮像装置及びレンズフードの外観図である。
【図２】本実施例におけるレンズフードをレンズ鏡筒に取り付ける際の状態を表した図である。
【図３】本実施例におけるレンズ鏡筒とレンズフードの取り付け部を示した図である。
【図４】図３の破線で囲んだ箇所Ｐの上面図である。
【図５】レンズフードがレンズ鏡筒に対して所定の角度に取り付けられた時の取り付け部を表した図である。
【図６】図６の破線で囲んだ箇所ＰＱの上面図である。
【図７】レンズフード装着状態での正面図である。
【図８】レンズフード及びＡＦセンサの内部断面図である。
【図９】レンズフード及びＡＦセンサーの拡大断面図である。
【符号の説明】
【００２１】
１：撮像装置
２：レンズ鏡筒
９：ＡＦセンサ
４：レンズフード
５：開口部
６ａ：係合リブ
６ｂ：係合リブ
７ａ：係合リブ
７ｂ：係合リブ
８：係合リブ
９：ストッパーリブ
１１：マウント
１２：マウント
１３：固定ネジ
【図１】
2008015217.tif 000003
【図２】
2008015217.tif 000004
【図３】
2008015217.tif 000005
【図４】
2008015217.tif 000006
【図５】
2008015217.tif 000007
【図６】
2008015217.tif 000008
【図７】
2008015217.tif 000009
【図８】
2008015217.tif 000010
【図９】
2008015217.tif 000011